(57)【要約】【課題】シングルギャップ方式によっても透過表示と反射表示の両方で高い表示品質が得られる液晶表示装置を提供する。【解決手段】画素内反射表示領域１２における液晶層１０４の厚さ方向の電界強度が画素内透過表示領域１１における液晶層１０４の厚さ方向の電界強度よりも小さくなるようにする。具体的には、画素内透過表示領域１１において液晶層１０４の厚さ方向に電界を印加するとともに画素内反射表示領域１２において液晶層１０４の厚さ方向から傾いた方向に電界を印加するようにする。さらに具体的には、画素内透過表示領域１１のアレイ基板１００および対向基板１０５ならびに画素内反射表示領域１２のアレイ基板１００に電極を配置する。【選択図】図１
2006208942.tif 000002
【特許請求の範囲】
【請求項１】
複数の走査線と複数の信号線とが交差するアレイ基板と、該アレイ基板に対し液晶層を挟んで対向する対向基板とを備え、
前記走査線と信号線とが交差する各交差部に各画素が配置され、
前記画素内に、光を透過して透過表示を行う画素内透過表示領域と、外光を反射して反射表示を行う画素内反射表示領域とを備え、
前記アレイ基板と前記対向基板とに配置されて前記液晶層に電界を印加する電極を備え、
前記電極は、前記画素内反射表示領域における液晶層の厚さ方向の電界強度が前記画素内透過表示領域における液晶層の厚さ方向の電界強度よりも小さくなるようにしたものであることを特徴とする液晶表示装置。
【請求項２】
前記電極は、前記画素内透過表示領域において液晶層の厚さ方向に電界を印加するとともに前記画素内反射表示領域において液晶層の厚さ方向から傾いた方向に電界を印加するように配置されたものであることを特徴とする請求項１記載の液晶表示装置。
【請求項３】
前記電極は、前記画素内透過表示領域のアレイ基板および対向基板ならびに前記画素内反射表示領域のアレイ基板または対向基板に配置されたものであることを特徴とする請求項１記載の液晶表示装置。
【請求項４】
前記電極は、前記画素内反射表示領域のアレイ基板および対向基板に配置され、少なくともいずれか一方の電極の一部が欠落していることを特徴とする請求項１記載の液晶表示装置。
【請求項５】
前記画素内透過表示領域と画素内反射表示領域はノーマリーホワイト表示を行うものであることを特徴とする請求項１ないし４のいずれかに記載の液晶表示装置。
【請求項６】
外光が直線偏光となって液晶層に入射するように構成されたことを特徴とする請求項１ないし５のいずれかに記載の液晶表示装置。
【請求項７】
外光が楕円率０．３以下の楕円偏光となって液晶層に入射するように構成されたことを特徴とする請求項１ないし５のいずれかに記載の液晶表示装置。
【請求項８】
前記液晶層に電界を印加しないで波長５５０ｎｍの光を液晶層に入射したときの位相差が波長に換算して２００ｎｍ以上かつ４００ｎｍ以下であることを特徴とする請求項１ないし７のいずれかに記載の液晶表示装置。
【請求項９】
前記液晶層の厚さが３μｍ以下であることを特徴とする請求項１ないし８のいずれかに記載の液晶表示装置。
【発明の詳細な説明】
【技術分野】
【０００１】
本発明は、シングルギャップ方式によっても透過表示と反射表示の両方で高い表示品質が得られる液晶表示装置に関する。
【背景技術】
【０００２】
近年における液晶表示装置は、テレビジョン受像機、コンピュータの表示装置、携帯電話端末などの様々な機器に使用される。
【０００３】
例えば、特許文献１に開示された液晶表示装置は、明るい場所では、その画素内の画素内反射表示領域で反射表示を行い、暗い場所では画素内透過表示領域により透過表示を行い、さらに、画素内透過表示領域と画素内反射表示領域とで液晶層の厚さが異なるマルチギャップ方式を採用することにより、透過表示と反射表示の両方で高い表示品質を得るようにしている。
【特許文献１】特開２００４−８６１０８号公報
【発明の開示】
【発明が解決しようとする課題】
【０００４】
図５は、マルチギャップ方式を採用したマルチギャップ液晶表示装置が備える画素の断面図であり、図６は、画素内透過表示領域と画素内反射表示領域とで液晶層の厚さが同一なシングルギャップ方式を採用したシングルギャップ液晶表示装置の画素の断面図である。
【０００５】
図５に示すマルチギャップ液晶表示装置は、その画素内反射表示領域１２における反射率を図６に示すシングルギャップ液晶表示装置の反射率に等しくしようとして、液晶層１０４に透過率の低い液晶材料を用いると、画素内透過表示領域１１における透過率がシングルギャップ液晶表示装置の透過率よりも低くなってしまう。
【０００６】
また、マルチギャップ液晶表示装置の画素内透過表示領域１１における液晶層１０４の厚さつまりセルギャップをシングルギャップ液晶表示装置の画素内透過表示領域１１におけるセルギャップに等しくしかつマルチギャップ液晶表示装置の画素内反射表示領域１２におけるセルギャップギャップの２倍としたときは、マルチギャップ液晶表示装置の透過率がシングルギャップ液晶表示装置の透過率の１／２になってしまう。
【０００７】
また、マルチギャップ液晶表示装置では、画素内反射表示領域に透明段差膜を形成するプロセスが余分に必要であり、その分のコストが必要となる。
【０００８】
また、液晶表示装置では、セルギャップを小さくすると液晶の応答速度が速くなるが、逆に電極間が異物により短絡する可能性が高まる。そのため、マルチギャップ液晶表示装置では、画素内反射表示領域で電極間の短絡がないようにセルギャップを小さくすることで画素内反射表示領域での液晶の応答速度を速くしているが、画素内透過表示領域のセルギャップは画素内反射表示領域のセルギャップより大きいので、画素内透過表示領域の応答速度を速くすることができない。
【０００９】
本発明は、上記の課題に鑑みてなされたものであり、その目的とするところは、シングルギャップ方式によっても透過表示と反射表示の両方で高い表示品質が得られる液晶表示装置を提供することにある。
【課題を解決するための手段】
【００１０】
上記の課題を解決するために、請求項１記載の液晶表示装置は、複数の走査線と複数の信号線とが交差するアレイ基板と、該アレイ基板に対し液晶層を挟んで対向する対向基板とを備え、前記走査線と信号線とが交差する各交差部に各画素が配置され、前記画素内に、光を透過して透過表示を行う画素内透過表示領域と、外光を反射して反射表示を行う画素内反射表示領域とを備え、前記アレイ基板と前記対向基板とに配置されて前記液晶層に電界を印加する電極を備え、前記電極は、前記画素内反射表示領域における液晶層の厚さ方向の電界強度が前記画素内透過表示領域における液晶層の厚さ方向の電界強度よりも小さくなるようにしたものであることを特徴とする。
【００１１】
請求項１記載の液晶表示装置によれば、画素内反射表示領域における液晶層の厚さ方向の電界強度を画素内透過表示領域における液晶層の厚さ方向の電界強度よりも小さくしたことで、画素内透過表示領域の液晶層における位相差と画素内反射表示領域の液晶層における位相差とが相違するので、マルチギャップ液晶表示装置のように、その透過率がシングルギャップ液晶表示装置の透過率より低くなってしまうことがなく、また、画素内反射表示領域に透明段差膜を形成するプロセスとその分のコストが不要であり、また、画素内透過表示領域のセルギャップを画素内反射表示領域でのセルギャップと同様に小さくすることができるので、両方の表示領域で液晶の応答速度を速くできる。よって、シングルギャップ方式によっても透過表示と反射表示の両方で高い表示品質が得られる。
【００１２】
また、請求項２記載の液晶表示装置は、請求項１記載の液晶表示装置において、前記電極は、前記画素内透過表示領域において液晶層の厚さ方向に電界を印加するとともに前記画素内反射表示領域において液晶層の厚さ方向から傾いた方向に電界を印加するように配置されたものであることを特徴とする。
【００１３】
請求項２記載の液晶表示装置によれば、電極を、画素内透過表示領域において液晶層の厚さ方向に電界を印加するとともに画素内反射表示領域において液晶層の厚さ方向から傾いた方向に電界を印加するように配置したことで、画素内反射表示領域における液晶層の厚さ方向の電界強度を画素内透過表示領域における液晶層の厚さ方向の電界強度よりも小さくでき、よって、同様の作用効果が得られる。
【００１４】
請求項３記載の液晶表示装置は、請求項１記載の液晶表示装置において、前記電極は、前記画素内透過表示領域のアレイ基板および対向基板ならびに前記画素内反射表示領域のアレイ基板または対向基板に配置されたものであることを特徴とする。
【００１５】
請求項３記載の液晶表示装置によれば、電極を、画素内透過表示領域のアレイ基板および対向基板ならびに画素内反射表示領域のアレイ基板または対向基板に配置したことで、画素内透過表示領域において液晶層の厚さ方向に電界が印加されるとともに画素内反射表示領域において液晶層の厚さ方向から傾いた方向に電界が印加され、これにより、画素内反射表示領域における液晶層の厚さ方向の電界強度を画素内透過表示領域における液晶層の厚さ方向の電界強度よりも小さくでき、よって、同様の作用効果が得られる。
【００１６】
請求項４記載の液晶表示装置は、請求項１記載の液晶表示装置において、前記電極は、前記画素内反射表示領域のアレイ基板および対向基板に配置され、少なくともいずれか一方の電極の一部が欠落していることを特徴とする。
【００１７】
請求項４記載の液晶表示装置によれば、電極を、画素内反射表示領域のアレイ基板および対向基板に配置し、少なくともいずれか一方の電極の一部を欠落させたことで、欠落している部分の近傍においては、液晶層の厚さ方向の電界強度が小さくなるので、同様の作用効果が得られる。
【００１８】
請求項５記載の液晶表示装置は、請求項１ないし４のいずれかに記載の液晶表示装置において、前記画素内透過表示領域と画素内反射表示領域はノーマリーホワイト表示を行うものであることを特徴とする。
【００１９】
請求項５記載の液晶表示装置によれば、ノーマリーホワイト表示を行い、かつシングルギャップ方式によっても透過表示と反射表示の両方で高い表示品質が得られる液晶表示装置を提供することができる。
【００２０】
請求項６の液晶表示装置は、請求項１ないし５のいずれかに記載の液晶表示装置において、外光が直線偏光となって液晶層に入射するように構成されたことを特徴とする。
【００２１】
請求項６の液晶表示装置によれば、外光が直線偏光となって液晶層に入射し、かつシングルギャップ方式によっても透過表示と反射表示の両方で高い表示品質が得られる液晶表示装置を提供することができる。
【００２２】
請求項７の液晶表示装置は、請求項１ないし５のいずれかに記載の液晶表示装置において、外光が楕円率０．３以下の楕円偏光となって液晶層に入射するように構成されたことを特徴とする。
【００２３】
請求項７の液晶表示装置によれば、外光が楕円率０．３以下の楕円偏光となって液晶層に入射し、かつシングルギャップ方式によっても透過表示と反射表示の両方で高い表示品質が得られる液晶表示装置を提供することができる。
【００２４】
請求項８の液晶表示装置は、請求項１ないし７のいずれかに記載の液晶表示装置において、前記液晶層に電界を印加しないで波長５５０ｎｍの光を液晶層に入射したときの位相差が波長に換算して２００ｎｍ以上かつ４００ｎｍ以下であることを特徴とする。
【００２５】
請求項８の液晶表示装置によれば、液晶層の位相差を実質的にλ／２であり、かつシングルギャップ方式によっても透過表示と反射表示の両方で高い表示品質が得られる液晶表示装置を提供することができる。
【００２６】
請求項９の液晶表示装置は、請求項１ないし８のいずれかに記載の液晶表示装置において、前記液晶層の厚さが３μｍ以下であることを特徴とする。
【００２７】
請求項９の液晶表示装置によれば、液晶層の厚さが３μｍ以下とすることで、液晶の応答速度が速く、かつシングルギャップ方式によっても透過表示と反射表示の両方で高い表示品質が得られる液晶表示装置を提供することができる。
【発明の効果】
【００２８】
本発明によれば、画素内反射表示領域における液晶層の厚さ方向の電界強度を画素内透過表示領域における液晶層の厚さ方向の電界強度よりも小さくしたことで、画素内透過表示領域の液晶層における位相差と画素内反射表示領域の液晶層における位相差とが相違するので、マルチギャップ液晶表示装置のように、その透過率がシングルギャップ液晶表示装置の透過率より低くなってしまうことがなく、また、画素内反射表示領域に透明段差膜を形成するプロセスとその分のコストが不要であり、また、画素内透過表示領域のセルギャップを画素内反射表示領域でのセルギャップと同様に小さくすることができるので、両方の表示領域で液晶の応答速度を速くできる。よって、シングルギャップ方式によっても透過表示と反射表示の両方で高い表示品質が得られる。
【発明を実施するための最良の形態】
【００２９】
以下、本発明の実施の形態を図面を参照して説明する。
【００３０】
［第１の実施の形態］
図１は、本発明の第１の実施の形態に係る液晶表示装置１が備える画素の断面図である。
【００３１】
液晶表示装置１は、その画素内に、図示しないバックライト装置からの光を透過して透過表示を行う画素内透過表示領域１１と、外光を反射して反射表示を行う画素内反射表示領域１２とを備えるシングルギャップ方式の液晶表示装置である。
【００３２】
バックライト装置は、例えば、ＬＥＤ(Light Emitting Diode）、蛍光管、ＥＬ(electro-luminescence）素子などから構成される。ここでは、液晶表示装置１をアクティブマトリクス型のカラー液晶表示装置として説明する。
【００３３】
液晶表示装置１が、電話機能をもつ携帯情報端末に用いられる場合の表示領域の対角サイズは、例えば２インチである。また、液晶表示装置１は、水平走査方向１６０行×垂直走査方向１６０列の表示領域を有するものとすることができる。また、この場合の１行は、詳しくは３行、つまり赤の画素からなる行、緑の画素からなる行および青の画素からなる行で構成される。
【００３４】
液晶表示装置１は、透明なガラスなどを材質とするアレイ基板１００を備え、その上に、図示しない複数の信号線と複数の走査線とが交差するように形成される。
【００３５】
また、液晶表示装置１では、信号線と走査線とが交差する各交差部に画素が構成され、アレイ基板１００上では、ＴＦＴ（Thin Film Transistor：薄膜トランジスタ）などのスイッチ素子が画素ごとに形成される。
【００３６】
また、アレイ基板１００上には透明樹脂層１０１が形成される。この透明樹脂層１０１上の画素内透過表示領域１１には、ＩＴＯ(Indium Tin Oxide：酸化インジウムスズ)などを材質とする透明な透明電極１０２Ａが形成されるとともに、アレイ基板１００上の画素内反射表示領域１２には、アルミニウムなどを材質とする不透明な、つまり外光を反射する反射電極１０２Ｂが形成される。これらの透明電極１０２Ａと反射電極１０２Ｂとで画素電極１０２が構成され、画素電極１０２上には、配向膜１０３が形成される。
【００３７】
また、液晶表示装置１では、アレイ基板１００に対し、ホモジニアス配向されたネマチック液晶からなりかつ位相差がλ／２である液晶層１０４を挟んで、透明なガラスなどを材質とする対向基板１０５が対向している。なお、ある用途においては、液晶層１０４の厚さを、例えば３μｍ以下とすることで、液晶の応答速度を十分に速くすることができる。
【００３８】
また、対向基板１０５上には、画素に応じた色を発色させる部分からなるカラーフィルタ層１０６が形成される。
【００３９】
カラーフィルタ層１０６上では、ＩＴＯなどを材質とする透明な対向電極１０７が画素内反射表示領域１２だけに形成される。
【００４０】
画素内反射表示領域１２のカラーフィルタ層１０６と対向電極１０７との上には、配向膜１０８が形成される。
【００４１】
アレイ基板１００の背後面上には、位相差板１０９、λ／２板１１０および偏光板１１１が順次に形成され、対向基板１０５の手前面上には、λ／２板１１２および偏光板１１３が順次に形成される。
【００４２】
上記構成の液晶表示装置１では、例えば、信号線への映像信号の供給がなく、これにより、画素電極１０２と対向電極１０７との間に電位差が生じていないときに、画素内透過表示領域１１の偏光板１１１の透過軸を透過した直線偏光は、λ／２板１１０により直線偏光のままその偏光軸が９０度回転する。このλ／２板１１０に波長５５０ｎｍの光を入射したときの位相差が波長に換算して２００ｎｍ以上かつ４００ｎｍ以下であれば、ここを出射する光が楕円偏光となってもこれを実質的に直線偏光として扱うことができ、このことはλ／２板１１２においても同様である。
【００４３】
さて、この直線偏光は、位相差板１０９により直線偏光に近い楕円偏光となりかつその偏光軸が約９０度回転する。例えば、この位相差板１０９に波長５５０ｎｍの光を入射したときの位相差は波長に換算して１００ｎｍ以上かつ３００ｎｍ以下であり、この位相差に応じた楕円率の楕円偏光が位相差板１０９から出射する。この楕円偏光は、位相差がλ／２の液晶層１０４により、その楕円率を維持しながらその偏光軸が９０度回転する。なお、液晶層１０４に電界を印加しないで波長５５０ｎｍの光を液晶層１０４に入射したときの位相差が波長に換算して２００ｎｍ以上かつ４００ｎｍ以下であれば実質的に位相差がλ／２となるので上記の作用効果が得られる。
【００４４】
この楕円偏光は、λ／２板１１２により、その楕円率を維持しながらその偏光軸が９０度回転する。この楕円偏光は、その偏光軸の方向が偏光板１１３の透過軸の方向と一致するので、その強度を偏光板１１１を透過したときの強度と略同一にして偏光板１１３を透過する。すなわち、画素内透過表示領域１１ではノーマリーホワイト表示がなされる。
【００４５】
同様な理由から画素電極１０２と対向電極１０７との間に電位差が生じていないときには、画素内反射表示領域１２の偏光板１１３の透過軸を透過した直線偏光は、λ／２板１１２により直線偏光のままその偏光軸が９０度回転する。なお、λ／２板１１２の位相差が正確にλ／２でない場合には、この直線偏光は楕円偏光となるが、その楕円率が０．３以下ならば実質的に直線偏光として扱うことができる。
【００４６】
さて、この直線偏光は、液晶層１０４により直線偏光のままその偏光軸が９０度回転する。この直線偏光は、反射電極１０２Ｂで反射し、再び液晶層１０４により直線偏光のままその偏光軸が９０度回転する。この直線偏光は、再びλ／２板１１２により直線偏光のままその偏光軸が９０度回転する。この直線偏光は、その偏光軸の方向が偏光板１１３の透過軸の方向と一致するので、その強度を最初に偏光板１１３を透過したときの強度と同一にして偏光板１１３を透過する。すなわち、画素内反射表示領域１２ではノーマリーホワイト表示がなされる。
【００４７】
一方、液晶表示装置１では、映像信号が信号線に供給され、例えば、その振幅が最大となり、これにより、画素電極１０２と対向電極１０７との間に最大の電位差が生じているときには、画素内透過表示領域１１の偏光板１１１の透過軸を透過した直線偏光は、λ／２板１１０により直線偏光のままその偏光軸が９０度回転する。この直線偏光は、位相差板１０９により直線偏光に近い楕円偏光となりかつその偏光軸が約９０度回転する。この楕円偏光は、上記した電極間の電位差により位相差がほぼなくなった液晶層１０４を透過する。この液晶層１０４では、そのアレイ基板１００側および対向基板１０５側の界面における液晶分子の起き上がりが不完全なことによる残留位相差を除いて位相差がほぼなくなるのである。この液晶層１０４を透過する楕円偏光はその楕円率と偏光軸の方向をほぼ維持する。この楕円偏光は、λ／２板１１２により、その楕円率を維持しながらその偏光軸が９０度回転する。この楕円偏光は、その偏光軸の方向が偏光板１１３の透過軸の方向に対して９０度ずれているので、偏光板１１３に吸収される。すなわち、画素電極１０２と対向電極１０７との間に最大の電位差が生じているときの画素内透過表示領域１１ではブラック表示がなされる。
【００４８】
同様にして、画素電極１０２と対向電極１０７との間に最大の電位差が生じているときには、画素内反射表示領域１２の偏光板１１３の透過軸を透過した直線偏光は、λ／２板１１２により直線偏光のままその偏光軸が９０度回転する。この直線偏光が透過する液晶層１０４では、画素内反射表示領域１２に対向電極１０７がないことより、電極間の電位差による電界が、液晶層１０４の厚さ方向から傾いた方向に印加される。よって、画素内反射表示領域１２における液晶層１０４の厚さ方向の電界強度が画素内透過表示領域１１における液晶層１０４の厚さ方向の電界強度よりも小さくなる。なぜならば、画素内透過表示領域１１では、電界が液晶層１０４の厚さ方向に印加されるからである。
【００４９】
これにより、画素内反射表示領域１２の液晶層１０４にだけ位相差を持たせることができる。以下、この位相差をλ／４とする。この位相差をもつ液晶層１０４により、λ／２板１１２を透過した直線偏光は円偏光に変換される。この円偏光は、反射電極１０２Ｂで反射し、位相差がλ／４になった液晶層１０４を再び透過する際に、直線偏光に変換される。この直線偏光は、その偏光軸の方向が偏光板１１３の透過軸の方向に対して９０度ずれているので、偏光板１１３に吸収される。すなわち、画素電極１０２と対向電極１０７との間に最大の電位差が生じているときの画素内透過表示領域１１ではブラック表示がなされる。
【００５０】
なお、上記の動作説明では言及しなかったが、画素内透過表示領域１１および画素内反射表示領域１２から出射する光は、カラーフィルタ層１０６により応じた色に着色される  また、映像信号の振幅が最大でない場合に、画素内透過表示領域１１および画素内反射表示領域１２から出射する光の強度はその振幅に応じたものとなり、これにより、振幅を連続的に変化させることで透過率および反射率を連続的に変化させることができる。すなわち、階調表示を行うことができる。
【００５１】
以上のように、画素内反射表示領域１２における液晶層１０４の厚さ方向の電界強度が画素内透過表示領域１１における液晶層１０４の厚さ方向の電界強度よりも小さくなるようにしたことで、具体的には、画素内透過表示領域１１において液晶層１０４の厚さ方向に電界を印加するとともに画素内反射表示領域１２において液晶層１０４の厚さ方向から傾いた方向に電界を印加するようにしたことで、さらに具体的には、画素内透過表示領域１１のアレイ基板１００および対向基板１０５ならびに画素内反射表示領域１２のアレイ基板１００に電極を配置したことで、以下の効果が得られる。
【００５２】
つまり、画素内透過表示領域１１の液晶層１０４における位相差と画素内反射表示領域１２の液晶層１０４における位相差とが相違するので、マルチギャップ液晶表示装置のように、その透過率がシングルギャップ液晶表示装置の透過率より低くなってしまうことがなく、また、画素内反射表示領域に透明段差膜を形成するプロセスとその分のコストが不要であり、また、画素内透過表示領域のセルギャップを画素内反射表示領域でのセルギャップと同様に小さくすることができるので、両方の表示領域で液晶の応答速度を速くできる。よって、シングルギャップ方式によっても透過表示と反射表示の両方で高い表示品質が得られる。
【００５３】
［第２の実施の形態］
図２は、本発明の第２の実施の形態に係る液晶表示装置２が備える画素の断面図である。ここでは、図１の液晶表示装置１が備える構成要素には同一の符号を付して重複説明を省き、図１と図２の差異を中心に説明する。
【００５４】
図２に示すように、液晶表示装置２では、反射電極１０２Ｂを設ける代わりに、アレイ基板１００上の画素内反射表示領域１２に反射板１０２Ｃが設けられ、対向電極１０７が画素内反射表示領域１２にも設けられる。かかる構成によっても、画素内反射表示領域１２の液晶層１０４に厚さ方向から傾いた方向の電界が印加され、これにより、画素内反射表示領域１２における液晶層１０４の厚さ方向の電界強度が画素内透過表示領域１１における液晶層１０４の厚さ方向の電界強度よりも小さくなるので、図１の液晶表示装置１のときと同様の作用効果が得られる。
【００５５】
［第３の実施の形態］
図３は、本発明の第３の実施の形態に係る液晶表示装置３が備える画素の断面図である。ここでは、図１の液晶表示装置１が備える構成要素には同一の符号を付して重複説明を省き、図１と図２の差異を中心に説明する。
【００５６】
液晶表示装置３では、対向電極１０７が画素内反射表示領域１２にも設けられ、その一部が欠落している。これにより、欠落している部分の近傍においては、液晶層１０４の厚さ方向の電界強度が小さくなるので、同様の作用効果が得られる。なお、反射電極１０２Ｂの一部を欠落させた場合や対向電極１０７と反射電極１０２Ｂのそれぞれにおいて一部を欠落させた場合にも同様の作用効果が得られる。
【００５７】
［第４の実施の形態］
図４は、本発明の第４の実施の形態に係る液晶表示装置４が備える画素の断面図である。ここでは、図２の液晶表示装置２が備える構成要素には同一の符号を付して重複説明を省き、図２と図４の差異を中心に説明する。
【００５８】
液晶表示装置４では、透明電極１０２Ａが画素内反射表示領域１２にも設けられ、その一部が欠落している。これにより、欠落している部分の近傍においては、液晶層１０４の厚さ方向の電界強度が小さくなるので、同様の作用効果が得られる。なお、対向電極１０７の一部を欠落させた場合や対向電極１０７と透明電極１０２Ａのそれぞれにおいて一部を欠落させた場合にも同様の作用効果が得られる。
【００５９】
なお、上記の各実施の形態では、カラーフィルタ層１０６を設けないで、モノクロ表示を行う液晶表示装置を構成してもよい。
【００６０】
また、上記の各実施の形態では、ノーマリーホワイト表示を行ったが、例えば、偏光板１１３の透過軸の方向を９０度回転させることで、ノーマリーブラック表示を行うようにしてもよい。
【図面の簡単な説明】
【００６１】
【図１】本発明の第１の実施の形態に係る液晶表示装置１が備える画素の断面図である。
【図２】本発明の第２の実施の形態に係る液晶表示装置２が備える画素の断面図である。
【図３】本発明の第３の実施の形態に係る液晶表示装置２が備える画素の断面図である。
【図４】本発明の第２の実施の形態に係る液晶表示装置２が備える画素の断面図である。
【図５】マルチギャップ液晶表示装置が備える画素の断面図である。
【図６】シングルギャップ液晶表示装置が備える画素の断面図である。
【符号の説明】
【００６２】
１，２，３，４…液晶表示装置
１１…画素内透過表示領域
１２…画素内反射表示領域
１００…アレイ基板
１０１…透明樹脂層
１０２…画素電極
１０２Ａ…透明電極
１０２Ｂ…反射電極
１０２Ｃ…反射板
１０３、１０８…配向膜
１０４…液晶層
１０５…対向基板
１０６…カラーフィルタ層
１０７…対向電極
１０９…位相差板
１１０、１１２…λ／２板
１１１、１１３…偏光板
【図１】
2006208942.tif 000003
【図２】
2006208942.tif 000004
【図３】
2006208942.tif 000005
【図４】
2006208942.tif 000006
【図５】
2006208942.tif 000007
【図６】
2006208942.tif 000008